(57)【要約】【課題】簡単な構成で占有場所もとらず、いつでもどこでも個人が頭皮を効率よく揉むことができるようにし、使用する部材を少なくして低コストにする。【解決手段】支持体１に配されたギヤードモータ４と、スイッチ３を介してギヤードモータに電力を供給する給電手段２と、ギヤードモータの出力軸に配された回転カム５と、支持体にスライド自在に配され、回転カムの回動に応じて伸縮するように応動する４個の可動支持部材６ａ、６ｂと、支持体の下方で前記可動部材に配された複数個の独立懸架型弾性体７と、この独立懸架型弾性体の先端に配されたもので、頭皮Ｔａを直接マッサージするために先端が頭部Ｔに当接し、頭部の輪郭にほぼ合わせて構成した吸盤型の当接部材８とを備えた。【選択図】      図１
2004223214.tif 000002
【特許請求の範囲】
【請求項１】
支持体と、この支持体に配されたギヤードモータと、このギヤードモータに電力を供給する給電手段と、前記ギヤードモータの出力軸に配された回転カムと、前記支持体にスライド自在に配され前記回転カムの回転に応じて伸縮するように応動する少なくとも２個の可動部材と、前記支持体の下方で前記可動部材に配された複数個の独立懸架型弾性体と、この独立懸架型弾性体に配されたもので頭皮を直接マッサージするために先端が頭部に接触し、全体的に頭部の輪郭にほぼ合わせて構成した当接部材とを備えた頭部マッサージ装置。
【請求項２】
前記当接部材は吸盤型で形成されている請求項１に記載の頭部マッサージ装置。
【請求項３】
前記当接部材は少なくとも可動方向両側にに突起がある弾性体で形成されている請求項１に記載の頭部マッサージ装置。
【請求項４】
前記独立懸架型弾性体は板ばねで形成されている請求項１に記載の頭部マッサージ装置。
【請求項５】
前記支持体は前記当接部が頭部に押接するような重量を有するものである請求項１に記載の頭部マッサージ装置。
【請求項６】
前記支持体に取り手が設けられた請求項１ないし４のいずれか１項に記載の頭部マッサージ装置。
【発明の詳細な説明】
【０００１】
【発明の属する技術分野】
この発明は、頭部マッサージ装置に係り、特に頭皮を機械的に直接マッサージすることによって頭皮の血行を促し、頭髪の抜けの防止、育毛、増毛などを期待できる頭部マッサージ装置の新規な技術に関する。
【０００２】
【従来の技術】
頭髪の抜け毛防止や育毛、増毛対策として従来から養毛剤や育毛剤を用いる薬学的な手段、手指などで頭皮マッサージを行うような物理的なものがある。通常はこの両方を併用している。
【０００３】
これらの手段は、いずれも頭皮の血行を促進作用に基づくものであり、養毛剤や育毛剤も血行促進剤の一種であり、手指などの頭皮マッサージも頭皮の血行をよくするものである。
【０００４】
【発明が解決しようとする課題】
しかしながら、このような従来の手段、特に養毛剤や育毛剤を用いる薬学的な手段は周知のようにあまり効果が期待できず、薬品による刺激で湿疹などの薬害の問題があった。
その点手指による頭皮マッサージは、このような薬害問題は生ずるおそれがなく大変好ましい。
しかし、手作業によって頭皮マッサージするのは、根気がいるもので面倒であり、労力も要し長続きしないものである。
【０００５】
このため、最近では、機械的に頭皮をマッサージすることができる頭部マッサージ機がいろいろ提案されている。
その一つは、いすなどを使用した大がかりなもの（特許文献１、２参照）、
その他は、エアーバック方式によるもの（特許文献３参照）等がある。
【０００６】
【特許文献１】
特開平１０−２１６１８５号
【特許文献２】
特開平１０−２３４８０７号
【特許文献３】
特開２００１−３２１４１１
【０００７】
【発明が解決しようとする課題】
しかしながら、特許文献１、２のものは、頭部に被せるキャップ部とこのキャップ部を保持する保持部と、いすに取り付け、キャップ部を支持する保持機構からなる大がかりなもので高価なものとなってしまい、しかも場所を占有してしまうので、業務用ならまだしも個人用には全く不向きなものであり、頭皮に直接当接する部分が単なる丸い突起のため、スリップしやすく、頭皮をチャックしにくいので、揉み上げにくいものであった。
また、特許文献３のものは、圧縮空気を使用するので、頭皮を水平方向に揉むことが出来ず、マッサージ効果が期待できないもので、しかも圧縮空気を送り込むパイプや制御回路などやはりコスト的に個人が手を出せるものではなかった。そこで、この発明の第１の目的は、簡単な構成で頭皮を効率よく揉むことができるようにする新規な構造を提供するものであり、第２の目的は、占有場所もとらず、いつでもどこでも個人が容易にマッサージできるようにし、さらに第３の目的は、使用する部材を少なくしてコスト的に有利な頭皮マッサージ装置を提供するものである。
【０００８】
【課題を解決するための手段】
上記の基本的な課題解決する頭部マッサージ装置は、請求項１に示す発明のように、支持体と、この支持体に配されたギヤードモータと、このギヤードモータに電力を供給する給電手段と、前記ギヤードモータの出力軸に配された回転カムと、前記支持体にスライド自在に配され、前記回転カムの回転に応じて伸縮するように応動する少なくとも２個の可動支持部材と、前記支持体の下方で前記可動部材に配された複数個の独立懸架型弾性体と、この独立懸架型弾性体に配されたもので頭皮を直接マッサージするために先端が頭部に接触し、全体的に頭部の輪郭にほぼ合わせて構成した当接部材とを備えたもので達成できる。
このようにすれば、独立懸架型弾性体を介して頭部の形状に合わせて密着できるので、当接部材が頭皮面に沿って伸縮自在に応動することによって頭皮を揉むことになる。
具体的な解決手段は、請求項２、３に示す発明のように前記当接部材は吸盤型で形成されているものか、前記当接部材は少なくとも可動方向両側に突起がある弾性体で形成されているもので達成できる。
このようにすれば、頭皮をもみ上げる際に吸盤型の鋭角に縁でスリップをしないようにチャックして揉むことができ、可動方向に突起があるものでは突起の鋭角でスリップをしないようにチャックして揉むことができる。
また、請求項４に示す発明のように前記独立懸架型弾性体は板ばねで形成されているもので達成できる。
このようにすれば、板ばねによって横方向の不要な揺動がなく、スリップを防ぎ効率よく揉み上げることができる。
さらに、請求項５に示す発明のように前記支持体は前記当接部材が頭部に押接するような重量を有するもので達成できる。
このようにすれば、バンドなどで押圧させる必要がなく、単に頭部に乗せるだけで所要に目的が達成できる。
そして、これらは、請求項６に示す発明のように前記支持体に取り手が設けられたものがよい。
このようにすれば持ち運びが容易となる。
【０００９】
【発明の実施の形態】
以下、図面に示す各実施の形態に基づき本発明の構成を説明する。
図１は、この発明の頭部マッサージ装置の実施形態の正面図である。
図２は、図１のカバーを外した状態の平面図である。
図３は、図１の底面図である
図４は、図１の一部材である回転カムの底面図である。
図５は、図１の一部材である吸盤型当接部材の拡大要部断面図である。
図６は、当接部材の変形例の拡大要部断面図である。
【００１０】
図１、図２および図３において、１はアルミニウム板等で形成した支持体で、上面に、給電手段としてそれぞれ電池２ａが格納された一対の電源ボックス２、２と、強弱切り替えスイッチ３を介して前記電源ボックス２、２から電力を受けるもので減速ギア部４ａを有するギヤードモータ４がアングル１ａを介して取り付けられており、このギヤアードモータ４の減速出力軸４ｂにはポリアセタール樹脂からなる回転カム５が取り付けられている。
この回転カム５の下方の前記支持体１には、透孔１ａが開けられ、この透孔１ａの部分に平面視十字型の保持板１ｂがビス１ｃで前記支持体１取り付けられいる。この保持板１ｂには、平面視で前後左右にスライドするもので対向する２個で１組を構成した４個の可動支持部材６ａ、６ａと６ｂ、６ｂが前記保持板に１ｂに遊嵌状にスライド自在に取り付けられる。
ここで、支持体１は、装置全体の自らの自重で適切に頭部を押接するように重量が適切に設定されている。図中、Ｋは想像線で表現したカバーである。また、結線ケーブルは便宜上一本の実線で略記してある。
【００１１】
前記回転カム５には、図４に示すように楕円型スライド溝５ａが設けられ、この楕円型スライド溝５ａには、それぞれ前記可動支持部材６ａ、６ａと６ｂ、６ｂの先端に配されたボールベアリングＢが装着され、回転カム５の回転動作によって前記可動支持部材６ａ、６ａと６ｂ、６ｂを前後左右にスライドさせるようになっている。前記支持体１の下方には、図３に示すような前記可動支持部材６ａ、６ａと６ｂ、６ｂにステンレス板からなる複数個の独立懸架型弾性体として板ばね７ａ‥‥、７ｂ‥‥が取り付けられ、さらにこれらの先端には、図５にも示すような頭皮Ｔａに直接接触する吸盤型の当接部材８が取り付けられている。
ここで、複数個の独立懸架型弾性体７ａ‥‥、７ｂ‥‥と吸盤型の当接部材８は、ほぼ成人の頭部Ｔに合わせた輪郭となるように形成させている。
このようにすれば、前記支持体１に配した取り手１ｄを持って頭部に被せ、前記スイッチ３を操作して電源を入れれば、ギヤードモータ２の回転に応じて可動支持部材６ａ、６ａと６ｂ、６ｂに取り付けられた吸盤状に当接部材８が回転カムの回動によって伸縮し、図５にも示したような吸盤状にした当接部材８は、当接部分が鋭角となっているので頭皮をスリップすることなくチャックできるので、頭皮Ｔａを伸縮させて揉み上げることができる。
【００１２】
図６は、吸盤状の当接部材８とほぼ同等な効果のある当接部材８８の変形例で、矢印で示す可動方向両端に鋭角となる突起８８ａを配したものである。
このようにしても、突起８８ａは矢印の可動方向において頭皮Ｔａをスリップすることなくチャックできる。
【００１３】
なお、このように構成した頭部マッサージ装置は、自らの自重で頭皮を揉み上げるようにしているが、軽量化を図ってゴムベルト顎にかけて押さえるようにしてもよい。
この発明は、上記の実施形態に限定されるものでなく、発明の技術的思想は、特許請求の範囲に基づくもので明細書本文には拘束されない。たとえば、前記可動部材は最低２個を対向させて配したものでも揉み上げ効率は４個のものより落ちるが所期の目的は達成できる。
【００１４】
【発明の効果】
この発明は、上述のように簡単な構成にしたので、業務用のような大がかりなものでなくても、簡単に個人用として好適な頭部マッサージ装置を提供でき、具体的には、次のような効果が発揮できる。
請求項１に示す発明では、独立懸架型弾性体を介して頭部の形状に合わせて密着できるので、当接部材が頭皮面に沿って伸縮自在に応動することによって頭皮を確実にチャックして揉むことができ、頭皮の血行をよくすることによって頭髪の育成が期待できる。
請求項２、３に示す発明によれば、吸盤型の縁で頭皮をもみ上げる際に吸盤型の縁でスリップをしないように揉むことができ、可動方向に突起があるものでは突起の角でスリップをしないように揉むことができる。
請求項４に示す発明によれば、板ばねによって横方向の不要な揺動がなく、スリップを防ぎ効率よく揉み上げることができる。
請求項５に示す発明によれば、バンドなどで押圧させる必要がなく、単に頭部に乗せるだけで所要の目的が達成できる。
【図面の簡単な説明】
【図１】この発明の頭部マッサージ装置の第１実施形態の正面図である。
【図２】図１のカバーを外した状態の平面図である。
【図３】図１の底面図である．
【図４】図１の一部材である回転カムの底面図である。
【図５】図１の一部材である吸盤型当接部材の拡大要部断面図である。
【図６】当接部材の変形例の拡大要部断面図である。
【符号の説明】
１  支持体
４  ギヤードモータ
５  回転カム
６  可動支持部材
７  独立懸架型弾性体
８、８８  当接部材
【図１】
2004223214.tif 000003
【図２】
2004223214.tif 000004
【図３】
2004223214.tif 000005
【図４】
2004223214.tif 000006
【図５】
2004223214.tif 000007
【図６】
2004223214.tif 000008